(57)【要約】  本発明は、ドットサイトモード及びスコープモード兼用光学式照準鏡に関し、本発明に係るドットサイトモード及びスコープモード兼用光学式照準鏡は、光源と反射鏡が設けられ、外部目標物に前記光源から照射された光がドットで表示されるように設けられたドットサイト領域が形成されてドットサイトモードで駆動されるドットサイト本体と、前記外部目標物を拡大して見ることができるように対物レンズと接眼レンズが備えられ、前記ドットサイト本体の内部で回動するように設けられるスコープ構造体とを備え、前記スコープ構造体が回動して前記ドットサイト領域に挿入するとき、スコープモードで選択されることを特徴とする。これにより、ドットサイト装置の内側にスコープ構造体が引き出されるように設けられて、ドットサイトモードとスコープモードとを兼ね備え、迅速なモード切替によって外部目標物を照準することができ、スコープ装置を別に備える必要がないドットサイトモード及びスコープモード兼用光学式照準鏡を提供することにある。
2011524998.tif 000002
【特許請求の範囲】
【請求項１】
ドットサイトモード及びスコープモード兼用光学式照準鏡であって、
光源と反射鏡が設けられ、外部目標物に前記光源から照射された光がドットで表示されるように設けられたドットサイト領域が形成されてドットサイトモードで駆動されるドットサイト本体と、
前記外部目標物を拡大して見ることができるように対物レンズと接眼レンズが備えられ、前記ドットサイト本体の内部で回動するように設けられるスコープ構造体と、
を備え、
前記スコープ構造体が回動して前記ドットサイト領域に挿入するとき、スコープモードに選択されることを特徴とするドットサイトモード及びスコープモード兼用光学式照準鏡。
【請求項２】
前記スコープ構造体が、前記対物レンズと前記接眼レンズとが設けられたスコープ鏡筒と、前記ドットサイト本体の内側に回動するように設けられ、前記スコープ鏡筒と結合して前記スコープ鏡筒を回動させるスコープ軸とを備えることを特徴とする請求項１に記載のドットサイトモード及びスコープモード兼用光学式照準鏡。
【請求項３】
前記スコープ鏡筒が、前記対物レンズと前記接眼レンズとが設けられる鏡筒部と、前記スコープ軸と結合されるように形成されたボス部とを備えることを特徴とする請求項２に記載のドットサイトモード及びスコープモード兼用光学式照準鏡。
【請求項４】
前記スコープ構造体の一側に設けられて、前記スコープ構造体を回動させる回動手段をさらに備えることを特徴とする請求項１〜３のいずれか１項に記載のドットサイトモード及びスコープモード兼用光学式照準鏡。
【請求項５】
前記回動手段が、前記スコープ軸と連動するように結合される回動ユニットと、該回動ユニットと連動するように結合される連動ユニットと、前記ドットサイト本体に設けられ、前記連動ユニットと連動するように結合されて前記連動ユニットを回動させるピボットユニットとを備えることを特徴とする請求項４に記載のドットサイトモード及びスコープモード兼用光学式照準鏡。
【請求項６】
前記スコープ構造体の一側に配置され、前記スコープ鏡筒の回動時、前記スコープ鏡筒が前記ドットサイト領域に位置するように挿入位置を制御する位置制御手段をさらに備えることを特徴とする請求項５に記載のドットサイトモード及びスコープモード兼用光学式照準鏡。
【請求項７】
前記位置制御手段が、
前記スコープ軸と連動するように結合される第１のストッパと、
該第１のストッパを収容するように陥没した定着溝が形成され、該定着溝に収容された第１のストッパと当接するように配置される第２のストッパと、
該第２のストッパに結合され、前記ドットサイト本体内に支持され、前記定着溝に収容された前記第１のストッパの回動によって加圧される前記第２のストッパを弾性的に支持するばねと、
を備えることを特徴とする請求項６に記載のドットサイトモード及びスコープモード兼用光学式照準鏡。
【請求項８】
前記回動手段が、前記スコープ構造体が前記ドットサイト本体のドットサイト領域に回動した時、弾性復元力によって回動するように弾性部材を備えることを特徴とする請求項４に記載のドットサイトモード及びスコープモード兼用光学式照準鏡。
【請求項９】
前記スコープ鏡筒の前記ボス部には陥没した支持溝が形成され、前記回動手段が、前記ドットサイト本体内部に形成されたレバー軸を中心として回動し、前記弾性部材が弾性圧縮されるように、前記支持溝の一側部を支持する回動ユニットをさらに備えることを特徴とする請求項８に記載のドットサイトモード及びスコープモード兼用光学式照準鏡。
【請求項１０】
前記スコープ鏡筒の前記ボス部には陥没した支持溝が形成され、前記回動手段が、前記ドットサイト本体の内側および外側に移動するように設けられた回動ユニットを備え、前記回動ユニットが内側方向に移動する時、前記支持溝の一側部を加圧して、前記弾性部材が弾性圧縮されることを特徴とする請求項８に記載のドットサイトモード及びスコープモード兼用光学式照準鏡。
【請求項１１】
前記回動手段が、前記スコープ軸と結合して、前記スコープ軸を回動させるピボットレバーと、該ピボットレバーに結合されて、前記スコープ鏡筒の位置によって前記弾性部材が弾性圧縮されたとき、前記スコープ軸の回動を制限する固定端子とをさらに備えることを特徴とする請求項８に記載のドットサイトモード及びスコープモード兼用光学式照準鏡。
【請求項１２】
前記回動手段が、前記ドットサイト本体内部に形成されたレバー軸を中心として回動するピボットレバーを備え、前記弾性部材が、一側が前記レバー軸に結合され、他側が前記スコープ鏡筒に結合されて一方向に弾性力が付与された板ばねであり、前記ピボットレバーの回動時、前記板ばねの弾性力によって前記スコープ鏡筒が回動することを特徴とする請求項８に記載のドットサイトモード及びスコープモード兼用光学式照準鏡。
【請求項１３】
前記回動手段が、一端が前記スコープ軸に巻き取られたワイヤと、該ワイヤの他端に結合されて、前記ワイヤの長さを調節し、前記スコープ鏡筒を回動させる調節ユニットとを備えることを特徴とする請求項８に記載のドットサイトモード及びスコープモード兼用光学式照準鏡。
【請求項１４】
前記調節ユニットが、回動した前記スコープ鏡筒の位置によって前記弾性部材が弾性圧縮されたとき、前記ワイヤが固定されるように設けられる固定端子をさらに備えることを特徴とする請求項１３に記載のドットサイトモード及びスコープモード兼用光学式照準鏡。
【請求項１５】
前記回動手段が、前記スコープ鏡筒を前記ドットサイト領域に回動させるように結合された駆動モータであることを特徴とする請求項４に記載のドットサイトモード及びスコープモード兼用光学式照準鏡。
【請求項１６】
前記回動手段が、前記スコープ鏡筒の前記ボス部に設けられる第１の端子と、前記ドットサイト本体の内側に設けられ、電気的に極性を帯びるように接続される第２の端子及び第３の端子とを備え、前記第１の端子と前記第２の端子との間に作用する電磁気力または前記第１の端子と前記第３の端子との間に作用する電磁気力によって前記スコープ鏡筒を回動させることを特徴とする請求項４に記載のドットサイトモード及びスコープモード兼用光学式照準鏡。
【請求項１７】
前記ドットサイト本体の内側には、前記スコープ鏡筒の回動位置をガイドするモード切替用突出部が形成され、前記スコープ鏡筒の前記ボス部には、前記ボス部が前記スコープ軸に沿って移動するように、前記ボス部の長さ方向に長く形成された長孔が形成され、前記長孔の内側には、前記スコープ鏡筒が前記突出部と当接するとき、前記スコープ鏡筒が前記スコープ軸方向に移動することを弾性的に支持するようにばねが設けられることを特徴とする請求項４に記載のドットサイトモード及びスコープモード兼用光学式照準鏡。
【請求項１８】
前記ドットサイト本体に備えられた反射鏡がダブレットで構成される場合、ダブレットの３面のうち、第１面及び第３面の曲率半径が、
【数１】
2011524998.tif 000008
（ダブレットの第１面と第３面の中心間の距離（中心厚さ）をｄ、第１面の曲率半径をＲ１、第３面の曲率半径をＲ３とし、材質の屈折率をｎとする。このとき、Ｄ１は、第１面の屈折力、Ｄ２は、第３面の屈折力を意味する）
を満足するように構成されることを特徴とする請求項１〜３のいずれか１項に記載のドットサイトモード及びスコープモード兼用光学式照準鏡。
【発明の詳細な説明】
【技術分野】
【０００１】
本発明は、ドットサイトモード及びスコープモード兼用光学式照準鏡に関し、より詳細には、ドットサイトモードとスコープモードとの相互モード切替を容易にすることができるドットサイトモード及びスコープモード兼用光学式照準鏡に関する。
【背景技術】
【０００２】
一般に、照準鏡は、外部目標物を正確に照準できるように銃器の一側部に結合される。ところが、銃器のうち、特に、小銃の場合、照尺と照星の照準線整列による照準がなされるようになるが、前記照準がどのくらい速やかになされて照準射撃が可能であるかを表す迅速性と、前記照準射撃が正確に標的に向かうかを表す正確性とが極めて重要である。
【０００３】
しかし、小さな振動や震えによっても照準線整列が困難になり、近距離や急迫した状況で求められる速やかな照準に不利な問題があった。
【０００４】
すなわち、照準射撃方法では、目標捕捉及び確認、照準線整列、照準などの複雑な過程が求められ時間が掛かる。しかも、照星と照尺自体が非常に小さいので、これを正確に整列する際に、小さな震えにも敏感に反応する。さらに、過度に照準線整列に気を遣っていると、標的や前方の状況よりも照星と照尺自体に視線が集中されて視野が狭くなる。
【０００５】
このような照準線整列の面倒さを解決しつつ、もう少し正確性を高めるために、光学式スコープが提案された。
【０００６】
光学式スコープは、対物レンズと接眼レンズレティクル（ｒｅｔｉｃｌｅ：照準線）で構成される倍率のある光学系を用い、目標物を拡大して見ることができるので、目標物の識別能力に優れており、スコープの内部にあるレティクルを介して正照準を可能とする。
【０００７】
このような光学式スコープは、プリズム方式とリレーレンズ方式とに大別される。図１は、プリズム方式の光学式スコープ構造図であり、図２は、リレーレンズ方式の光学式スコープ構造図である。
【０００８】
まず、図１に示すように、プリズム方式の光学式スコープ構造は、対物レンズ、プリズム光学系、レティクル、接眼レンズなどで構成される。図面では、対物レンズと接眼レンズとが１枚で構成されているが、実際には、収差などを除去するために、複数枚で構成することもある。
【０００９】
対物レンズによる外部物体の像をレティクル位置に結像すれば、この像とレティクルとを同時に接眼レンズによって拡大して見ることができる。これが望遠鏡の原理である。このとき、対物レンズの像をレティクルにそのまま結像すれば、像が逆に見える。これをもう一度逆に見えるようにして、接眼レンズによる像を正立させるものが対物レンズとレティクルとの間にあるプリズムである。
【００１０】
次に、リレーレンズ方式の光学式スコープ構造は、図２に示すように、対物レンズと、フィールドレンズと、レティクルと、リレーレンズと、接眼レンズなどで構成される。図面では、対物レンズと、フィールドレンズと、接眼レンズとが１枚で構成されているが、実際には、収差などを除去するために、複数枚で構成することもある。
【００１１】
対物レンズによる外部物体の像をレティクル位置に結像すれば、この像とレティクルの視標を同時にリレーレンズが接眼レンズの前方に再結像させ、これを接眼レンズによって拡大して見ることができる。これが、リレーレンズ方式の望遠鏡の原理である。このとき、対物レンズの像がレティクルにそのまま結像すれば、像が逆に見える。これをもう一度リレーレンズによって再結像させ、さらに逆に見えるようにして、接眼レンズの前方における像は正立で結像する。このようにして、像は、接眼レンズにより、拡大されて見えるようになる。
【００１２】
ここで、リレーレンズの前後に存在するフィールドレンズは、リレーレンズに入射する光束を集める役割をする。
【００１３】
しかし、上述したような光学式スコープにおいても照尺と照星の照準線整列と同様に、小さな震えにも敏感に反応するため、速やかな照準が不可能である。
【００１４】
このような問題を解決するために、光学式照準器において無倍率を採択し、複雑な照準線をなくしつつ、簡単に照準点のみを用いる光学式ドットサイト装置が提案された。
【００１５】
光学式ドットサイト照準器は、簡単かつ速い照準が可能であるということに特徴があり、迅速な対応を必要とする急迫した状況や近距離において極めて有用であるという長所がある。
【００１６】
すなわち、照準線整列の時間がほとんど求められないうえに、照準自体も光点を標的に速かに移動させればよく、視野確保も極めて効果的になされるので、照準にかかる時間が短くなるだけでなく、照準によって周辺視野及び状況の確認が妨害されることを最小限に減らすことができるという長所がある。
【００１７】
図３は、光学式ドットサイト装置の概略図である。図３に示すように、上述した光学式ドットサイト装置１００は、円筒形構造の照準器ハウジング１１０上部に位置する内部鏡筒整列用調節端子１２０と、前記ハウジング１１０の下部に位置し、小銃照尺束（図示せず）の上端にレール方式で着脱可能に接続される固定グリル１３０と、ハウジング１１０内部に位置する保護用ウィンドウ１４０と、ハウジング１１０内部の鏡筒内側面の所定部位に位置して光を発光する発光素子ＬＥＤ１５０と、特定曲率を有し、ハウジング１１０内部の前記保護用ウィンドウ１４０の後に位置する反射鏡１６０とを備えて構成されることができる。
【００１８】
ここで、反射鏡１６０は、観測者（ユーザ）の視線が光学式ドットサイト装置１００の前方を透視するとともに、略６５０ｎｍ程度の波長を有するＬＥＤ光点を反射するようにコーティングされている。したがって、反射鏡１６０は、観測者（ユーザ）が光学式ドットサイト装置１００の前方を透視するとともに、略６５０ｎｍ程度の波長を有するＬＥＤ１５０の光点を後端に反射することができる。
【００１９】
観測者（ユーザ）は、ＬＥＤの光点と目標物とが一致するときに射撃することにより、照準を容易にすることができる。これを具体的に説明すれば、光学式ドットサイト装置１００の内部に位置したＬＥＤ１５０から作られる点光源が反射鏡１６０によって反射され、観測者の目に平行して入射されるように意図され、この平行度は、銃身の弾丸発射軸と一致するように意図される。
【００２０】
ここで、光学式ドットサイト装置１００の平行度と銃身の弾丸発射軸とが一致しないと、観測者がたとえＬＥＤ１５０のビームのドットを射撃目標点に一致させたとしても命中しないため、光学式ドットサイト装置１００の平行度と銃身の弾丸発射軸とを一致させるために、垂直方向および水平方向の軸を調整する機能を有する内部鏡筒整列用端子１２０を備えて内部鏡筒の光軸を銃身の弾丸発射軸と一致させている。
【００２１】
しかし、前記光学式ドットサイト装置は、スコープ装置のような外部目標物を拡大して見ることができる機能がないため、スコープ装置を別に備えなければならないという問題があった。
【００２２】
また、別にスコープ装置が備えられることにより、スコープ装置を介して外部目標物を確認した後、ドットサイト装置を介して再照準しなければならないという問題があった。
【発明の概要】
【発明が解決しようとする課題】
【００２３】
したがって、本発明の目的は、このような従来の問題点を解決するためのものであって、ドットサイト装置の内側にスコープ構造体が引き出されるように設けられ、ドットサイトモードとスコープモードとを兼ね備えて、迅速なモード切替によって外部目標物を照準することができるドットサイトモード及びスコープモード兼用光学式照準鏡を提供することにある。
【００２４】
また、本発明の他の目的は、スコープ装置を別に備える必要がないドットサイトモード及びスコープモード兼用光学式照準鏡を提供することにある。
【課題を解決するための手段】
【００２５】
そこで、上記の目的を達成するための本発明の一側面によれば、ドットサイトモード及びスコープモード兼用光学式照準鏡であって、光源と反射鏡が設けられ、外部目標物に前記光源から照射された光がドットで表示されるように設けられたドットサイト領域が形成されてドットサイトモードで駆動されるドットサイト本体と、前記外部目標物を拡大して見ることができるように対物レンズと接眼レンズが備えられ、前記ドットサイト本体の内部で回動するように設けられるスコープ構造体とを備え、前記スコープ構造体が回動して前記ドットサイト領域に挿入するとき、スコープモードで選択されることを特徴とするドットサイトモード及びスコープモード兼用光学式照準鏡であることを特徴とする。
【００２６】
ここで、前記スコープ構造体が、前記対物レンズと前記接眼レンズとが設けられたスコープ鏡筒と、前記ドットサイト本体の内側に回動するように設けられ、前記スコープ鏡筒と結合して前記スコープ鏡筒を回動させるスコープ軸とを備えることができる。
【００２７】
また、前記スコープ鏡筒が、前記対物レンズと前記接眼レンズとが設けられる鏡筒部と、前記スコープ軸と結合されるように形成されたボス部とを備えることができる。
【００２８】
また、前記スコープ構造体の一側に設けられて、前記スコープ構造体を回動させる回動手段をさらに備えることができる。
【００２９】
このとき、前記回動手段が、前記スコープ軸と連動するように結合される回動ユニットと、該回動ユニットと連動するように結合される連動ユニットと、前記ドットサイト本体に設けられ、前記連動ユニットと連動するように結合されて前記連動ユニットを回動させるピボットユニットとを備えることができる。
【００３０】
一方、前記スコープ構造体の一側に配置され、前記スコープ鏡筒の回動時、前記スコープ鏡筒が前記ドットサイト領域に位置するように挿入位置を制御する位置制御手段をさらに備えることができる。
【００３１】
このとき、前記位置制御手段が、前記スコープ軸と連動するように結合される第１のストッパと、該第１のストッパを収容するように陥没した定着溝が形成され、該定着溝に収容された第１のストッパと当接するように配置される第２のストッパと、該第２のストッパに結合され、前記ドットサイト本体内に支持され、前記定着溝に収容された前記第１のストッパの回動によって加圧される前記第２のストッパを弾性的に支持するばねとを備えることができる。
【００３２】
また、前記回動手段が、前記スコープ構造体が前記ドットサイト本体のドットサイト領域に回動時、弾性復元力によって回動するように弾性部材を備えることができる。
【００３３】
このとき、前記スコープ鏡筒の前記ボス部には陥没した支持溝が形成され、前記回動手段が、前記ドットサイト本体内部に形成されたレバー軸を中心として回動し、前記弾性部材が弾性圧縮されるように、前記支持溝の一側部を支持する回動ユニットをさらに備えることができる。
【００３４】
また、前記スコープ鏡筒の前記ボス部には陥没した支持溝が形成され、前記回動手段が、前記ドットサイト本体に内外側に移動するように設けられた回動ユニットを備え、前記回動ユニットが内側方向に移動時、前記支持溝の一側部を加圧して、前記弾性部材が弾性圧縮されることが好ましい。
【００３５】
一方、前記回動手段が、前記スコープ軸と結合して、前記スコープ軸を回動させるピボットレバーと、該ピボットレバーに結合されて、前記スコープ鏡筒の位置によって前記弾性部材が弾性圧縮されたとき、前記スコープ軸の回動を制限する固定端子とをさらに備えることができる。
【００３６】
また、前記回動手段が、前記ドットサイト本体内部に形成されたレバー軸を中心として回動するピボットレバーを備え、前記弾性部材が、一側が前記レバー軸に結合され、他側が前記スコープ鏡筒に結合されて一方向に弾性力が付与された板ばねであり、前記ピボットレバーの回動時、前記板ばねの弾性力によって前記スコープ鏡筒が回動することが好ましい。
【００３７】
さらに、前記回動手段が、一端が前記スコープ軸に巻き取られたワイヤと、該ワイヤの他端に結合されて、前記ワイヤの長さを調節し、前記スコープ鏡筒を回動させる調節ユニットを備えることができる。
【００３８】
このとき、前記調節ユニットが、回動した前記スコープ鏡筒の位置によって前記弾性部材が弾性圧縮されたとき、前記ワイヤが固定されるように設けられる固定端子をさらに備えることができる。
【００３９】
一方、前記回動手段が、前記スコープ鏡筒を前記ドットサイト領域に回動させるように結合された駆動モータでありうる。
【００４０】
また、前記回動手段が、前記スコープ鏡筒の前記ボス部に設けられる第１の端子と、電気的に極性を帯びるように接続された前記ドットサイト本体の内側に設けられる第２の端子及び第３の端子とを備え、前記第１の端子と前記第２の端子との間に作用する電磁気力または前記第１の端子と前記第３の端子との間に作用する電磁気力によって前記スコープ鏡筒を回動させることが好ましい。
【００４１】
さらに、前記ドットサイト本体の内側には、前記スコープ鏡筒の回動位置をガイドするモード切替用突出部が形成されることが好ましい。
【００４２】
このとき、前記スコープ鏡筒の前記ボス部には、前記ボス部が前記スコープ軸に沿って移動するように、前記ボス部の長さ方向に長く形成された長孔が形成されることが好ましい。
【００４３】
また、前記長孔の内側には、結合された前記スコープ軸が前記スコープ鏡筒方向に移動することを弾性的に支持するようにばねが設けられることが好ましい。
【００４４】
一方、前記ドットサイト本体に備えられた反射鏡がダブレット（ｄｏｕｂｌｅｔ）で構成される場合、ダブレットの３面のうち、第１面及び第３面の曲率半径が、
【数１】
2011524998.tif 000003
（ダブレットの第１面と第３面の中心間の距離（中心厚さ）をｄ、第１面の曲率半径をＲ１、第３面の曲率半径をＲ３とし、材質の屈折率をｎとする。このとき、Ｄ１は、第１面の屈折力、Ｄ２は、第３面の屈折力を意味する）
を満足するように構成されることが好ましい。
【発明の効果】
【００４５】
本発明によれば、ドットサイト装置の内側にスコープ構造体が引き出されるように設けられ、ドットサイトモードとスコープモードとを兼ね備えて、速やかなモード切替によって外部目標物を照準できるドットサイトモード及びスコープモード兼用光学式照準鏡が提供される。
【００４６】
また、スコープ装置を別に備える必要がないドットサイトモード及びスコープモード兼用光学式照準鏡が提供される。
【図面の簡単な説明】
【００４７】
【図１】プリズム方式の光学式スコープ構造図である。
【図２】リレーレンズ方式の光学式スコープ構造図である。
【図３】光学式ドットサイト装置の概略図である。
【図４】本発明の第１の実施形態に係るドットサイトモード及びスコープモード兼用光学式照準鏡の分解斜視図である。
【図５】図４のスコープ構造体、回動手段、及び位置制御手段の分解斜視図である。
【図６】本発明の第１の実施形態に係るドットサイトモード及びスコープモード兼用光学式照準鏡の作動状態図である。
【図７】本発明の第１の実施形態に係るドットサイトモード及びスコープモード兼用光学式照準鏡の作動状態図である。
【図８】本発明の第１の実施形態に係るドットサイトモード及びスコープモード兼用光学式照準鏡の作動状態図である。
【図９】本発明の第１の実施形態に係るドットサイトモード及びスコープモード兼用光学式照準鏡の作動状態図である。
【図１０】本発明の第１の実施形態の変形例に係るドットサイトモード及びスコープモード兼用光学式照準鏡の分解斜視図である。
【図１１】本発明の第２の実施形態に係るドットサイトモード及びスコープモード兼用光学式照準鏡の概略図である。
【図１２】本発明の第２の実施形態に係るドットサイトモード及びスコープモード兼用光学式照準鏡の作動状態図である。
【図１３】本発明の第２の実施形態に係るドットサイトモード及びスコープモード兼用光学式照準鏡の作動状態図である。
【図１４】本発明の第２の実施形態の第１の変形例に係るドットサイトモード及びスコープモード兼用光学式照準鏡の概略図である。
【図１５】本発明の第２の実施形態の第２の変形例に係るドットサイトモード及びスコープモード兼用光学式照準鏡の概略図である。
【図１６】本発明の第２の実施形態の第２の変形例に係るドットサイトモード及びスコープモード兼用光学式照準鏡の概略図である。
【図１７】本発明の第２の実施形態の第３の変形例に係るドットサイトモード及びスコープモード兼用光学式照準鏡の概略図である。
【図１８】本発明の第３の実施形態に係るドットサイトモード及びスコープモード兼用光学式照準鏡の概略図及び作動状態図である。
【図１９】本発明の第３の実施形態に係るドットサイトモード及びスコープモード兼用光学式照準鏡の概略図及び作動状態図である。
【図２０】本発明の第４の実施形態に係るドットサイトモード及びスコープモード兼用光学式照準鏡の概略図及び作動状態図である。
【図２１】本発明の第４の実施形態に係るドットサイトモード及びスコープモード兼用光学式照準鏡の概略図及び作動状態図である。
【図２２】本発明の第５の実施形態に係るドットサイトモード及びスコープモード兼用光学式照準鏡の概略図及び作動状態図である。
【図２３】本発明の第５の実施形態に係るドットサイトモード及びスコープモード兼用光学式照準鏡の概略図及び作動状態図である。
【図２４】本発明の第６の実施形態に係るドットサイトモード及びスコープモード兼用光学式照準鏡の概略図及び作動状態図である。
【図２５】本発明の第６の実施形態に係るドットサイトモード及びスコープモード兼用光学式照準鏡の概略図及び作動状態図である。
【図２６】本発明の第７の実施形態に係るドットサイトモード及びスコープモード兼用光学式照準鏡の概略図及び作動状態図である。
【図２７】本発明の第７の実施形態に係るドットサイトモード及びスコープモード兼用光学式照準鏡の概略図及び作動状態図である。
【図２８】本発明の第８の実施形態に係るドットサイトモード及びスコープモード兼用光学式照準鏡の概略図及び作動状態図である。
【図２９】本発明の第８の実施形態に係るドットサイトモード及びスコープモード兼用光学式照準鏡の概略図及び作動状態図である。
【図３０】本発明の第８の実施形態に係るドットサイトモード及びスコープモード兼用光学式照準鏡の概略図及び作動状態図である。
【図３１】第１の実施形態ないし第８の実施形態に適用される反射鏡の概略図である。
【図３２】第１の実施形態ないし第８の実施形態に適用される反射鏡の概略図である。
【発明を実施するための形態】
【００４８】
説明に先立って、種々の実施形態において、同じ構成を有する構成要素については、同じ符号を使用して代表的に第１の実施形態で説明し、それ以外の実施形態では、第１の実施形態と異なる構成について説明する。
【００４９】
以下、添付した図面を参照して本発明の第１の実施形態に係るドットサイトモード及びスコープモード兼用光学式照準鏡について詳細に説明する。
【００５０】
図４は、本発明の第１の実施形態に係るドットサイトモード及びスコープモード兼用光学式照準鏡の分解斜視図である。同図に示すように、本発明の第１の実施形態に係るドットサイト及びスコープ兼用光学式照準鏡は、ドットサイト本体１０と、スコープ構造体２０と、回動手段３０と、位置制御手段４０とを備えて構成されることができる。
【００５１】
前記ドットサイト本体１０は、鏡筒ハウジング１１と、ブラケット１２、１３と、反射鏡ハウジング１４とを備えて構成される。
【００５２】
前記鏡筒ハウジング１１は、照準鏡の鏡筒の役割をするように、内部が中空に形成され、外側のうち、下部は、銃器と結合できるように形成され、内側の所定領域には光源であるＬＥＤ（Ｌｉｇｈｔ  Ｅｍｉｔｔｅｄ  Ｄｉｏｄｅ）が含まれた光源部（図示せず）が設けられる。
【００５３】
このとき、後述する収容孔１３ａと反射鏡ハウジング１４との間の領域は、ドットサイトモードで動作する際に、光源部と反射鏡とによってドットサイトモードが実現されるドットサイト領域と定義することができる。
【００５４】
前記ブラケット１２、１３は、前記鏡筒ハウジング１１の前方及び後方の端部にそれぞれ結合される。
【００５５】
ここで、前方に結合されたブラケット１２には、後述する反射鏡ハウジング１４と結合されて前方を注視できるように所定の孔が形成され、後方に結合されたブラケット１３には、後述する回動手段３０が結合されるように収容孔１３ａが形成される。
【００５６】
前記反射鏡ハウジング１４は、前記ブラケット１２に結合されており、鏡筒ハウジング１１の内側に設けられた光源部から照射される光を反射できるように反射鏡が設けられている。
【００５７】
このとき、反射鏡ハウジング１４は、後述する回動手段の回転つまみと平行するように結合されることが好ましく、このようなドットサイト本体１０の各構成によって照準鏡はドットサイトモードとして駆動される。
【００５８】
図５は、図４のスコープ構造体、回動手段、及び位置制御手段の分解斜視図である。同図に示すように、スコープ構造体２０は、スコープ鏡筒２１とスコープ軸２４とを備えて構成され、前記ドットサイト本体１０の鏡筒ハウジング１１の内側に配置される。
【００５９】
前記スコープ鏡筒２１は、従来技術で説明しているようなプリズム方式またはリレーレンズ方式のスコープのうち、いずれか１つの構造が設けられた鏡筒部２２と、該鏡筒部２２の一側に結合されるボス部２３とで構成される。
【００６０】
前記ボス部２３には、後述するスコープ軸２４が結合される結合孔２３ａが形成される。
【００６１】
前記スコープ軸２４は、一方向に長い棒状に設けられて、前記結合孔２３ａに挿入されて結合され、上述した鏡筒ハウジング１１の内側所定部位に支持されて回動するように設けられる。
【００６２】
前記回動手段３０は、回動ユニット３１と、連動ユニット３２と、ピボットユニット３３とを備えて構成される。
【００６３】
前記回動ユニット３１は、所定のギア形状で設けられ、上述したスコープ軸２４の後方端部と結合される。
【００６４】
前記連動ユニット３２は、回動ユニット３１と噛み合って連動するように設けられた部材であって、後述するピボットユニット３３と結合される。
【００６５】
前記ピボットユニット３３は、上述したドットサイト本体１０のブラケット１３に形成された収容孔１３ａを介して連動ユニット３２と結合される。
【００６６】
すなわち、ピボットユニット３３に所定の回動力を付与すれば、連動ユニット３２が回動し、これにより、回動ユニット３１が回動すれば、スコープ軸２４が回動してスコープ鏡筒２１が回動可能となる。
【００６７】
結果的に、スコープ鏡筒２１がスコープ軸２４を中心として回動して上述した鏡筒ハウジングのドットサイト領域に挿入されることにより、照準鏡はスコープモードに切り替えられる。
【００６８】
前記位置制御手段４０は、第１のストッパ４１と、第２のストッパ４２と、ばね４３と、支持台４４とを備えて構成される。
【００６９】
前記第１のストッパ４１は、略直六面体の形態で設けられ、少なくとも３面が直角に形成される。また、スコープ軸２４と結合されるように、内側に貫通形成された孔４１ａが形成されてスコープ軸２４と結合される。
【００７０】
前記第２のストッパ４２は、第１のストッパ４１の一側を収容するように、略「Ｖ」字形態の定着溝４２ａが形成され、第１のストッパ４１の直角に設けられた外側面と当接するように設けられる。
【００７１】
すなわち、定着溝４２ａに収容された第１のストッパ４１が時計方向または反時計方向に回動するとき、第１のストッパ４１の直角に形成された外側面が定着溝４２ａに定着することにより、第１のストッパの回動は制限されるようになり、これと連動するスコープ構造体２０も第１のストッパ４１が定着溝４２ａに定着される位置によって正確な位置に制御される。
【００７２】
前記ばね４３は、第１のストッパ４１の回動時に当接するように形成された第２のストッパ４２が加圧されて下部方向に移動することを弾性的に支持するように、ストッパユニット４２の下部に結合された部材であって、鏡筒ハウジング１１の内側または別に備えられた支持台４４と結合される。図面では、支持台４４が別に設けられたものが示されている。
【００７３】
このような位置制御手段４０を介してスコープ軸２４の回動時、第１のストッパ４１が回動するようになり、回動時には、第１のストッパ４１によって下向きに力を受けて移動する第２のストッパ４２をばね４３が弾性的に支持する。
【００７４】
続いて、第１のストッパ４１の回動が完了する時点、すなわち、再度定着溝４２ａと当接して定着されるとともに、第２のストッパ４２は、ばね４３の弾性復元力によって本来の位置に戻ることにより、第１のストッパ４１の回動を制限するようになる。
【００７５】
結果的に、第１のストッパ４１及び第２のストッパ４２によって連動するスコープ軸２４の回動位置を正確に決定させることができる。
【００７６】
ここで、スコープモードに切り替えられるときのスコープ構造体２０の正確な位置は、ドットサイトモードにおける光軸、すなわち、回動つまみと反射鏡とを介した光軸とスコープ構造体の光軸とが一致する位置である。
【００７７】
また、本実施形態では、第１のストッパ４１は、略直六面体の形態であると説明しているが、必ず直角ではなくても良い。
【００７８】
例えば、第１のストッパ４１は、三角柱の形態で設けられ、定着溝４２ａは、第１のストッパ４１の三角柱外側面と当接するように形成されることもできる。
【００７９】
すなわち、スコープ構造体２０がブラケット１２とブラケット１３との間に位置するように、第１のストッパ４１と第２のストッパ４２とが相互当接してスコープ軸２４の回動位置、すなわち、スコープ鏡筒２１の位置を決定すればよい。
【００８０】
一方、図示してはいないが、ドットサイト本体１０の内側または外側の所定部位に別に設けられた電源制御装置が設けられることができ、前記電源制御装置は、鏡筒ハウジング１１の内側に設けられた光源部と電気的に接続され、前記光源部を電気的にオン・オフすることができるように設けられることができる。
【００８１】
すなわち、照準鏡におけるスコープモードでは、光源が不要になるので、電源制御装置を介してスコープ鏡筒２１がドットサイト領域に挿入される時点、すなわち、スコープモードに切り替えられる時点に光源部に供給される電源を遮断するように設けられることが好ましい。
【００８２】
また、ピボットユニット３３の回動によってスコープ鏡筒２１がドットサイト領域から引き出される時点、すなわち、ドットサイトモードに切り替えられるときには、光源部に電源を供給するようになる。
【００８３】
すなわち、スコープ鏡筒２１の位置によってスコープモードまたはドットサイトモードに選択され、このとき、電源制御装置は、選択されるモードによって光源部の電源をオン・オフするように制御される。
【００８４】
これからは、上述したドットサイト及びスコープ兼用光学式照準鏡の第１の実施形態の作動について説明する。
【００８５】
図６〜図１０は、本発明の第１の実施形態に係るドットサイトモード及びスコープモード兼用光学式照準鏡に関する。
【００８６】
図６において、スコープ鏡筒２１は、ドットサイト領域ａから引き出された状態、すなわち、ドットサイトモードであるときを示している。
【００８７】
このとき、位置制御手段４０の第１のストッパ４１は、第２のストッパ４２の定着溝４２ａに定着されている。
【００８８】
このような状態でユーザがピボットユニット３３を「Ａ」方向に回動させれば、これと連動する連動ユニット３２も「Ａ」方向に回動するようになり、連動ユニット３２と噛み合っている回動ユニット３１は、「Ｂ」方向に回動する。
【００８９】
これと同時に、回動ユニット３１と結合されたスコープ軸２４が「Ｃ」方向に回動することにより、スコープ鏡筒２１は、ドットサイト領域ａに挿入されるように回動する。
【００９０】
このとき、図７に示すように、スコープ軸２４と結合された第１のストッパ４１も回動するようになり、このとき、回動する第１のストッパ４１の外側面が第２のストッパ４２の定着溝４２ａの一側を加圧することにより、第２のストッパ４２は下方、すなわち、「Ｄ」方向に移動するようになるとともに、ばね４３は弾性圧縮される。
【００９１】
次に、図８に示すように、第１のストッパ４１は、回動を完了するようになる時点、すなわち、第２のストッパ４２の定着溝４２ａに第１のストッパ４１が定着する時点でばね４３は「Ｄ」方向の逆方向に弾性復元されて、第１のストッパ４１の回動角を制限するようになり、これにより、スコープ軸２４の回動も制限されるようになる。
【００９２】
このようにして、図９に示すように、スコープ鏡筒２１は、回動つまみ３３と反射鏡ハウジング１４との間に正確に位置するようになり、これにより、ドットサイトモードにおける光軸とスコープ構造体の光軸とが一致するようになり、スコープモードに切り替えられる。
【００９３】
また、ドットサイトモードへの切替は、上述した「Ａ」方向の逆方向にピボットユニット３３を回動させ、これにより、各構成は、上述した動作と逆順に動作して、スコープ鏡筒２１がドットサイト領域ａから引き出されるようになる。
【００９４】
すなわち、スコープ鏡筒２１が回動してドットサイト領域ａから引き出されるようになると、照準鏡はドットサイトモードに切り替えられる。
【００９５】
一方、電源制御装置は、上述したように、挿入及び引き出されるスコープ鏡筒２１の回動位置によって選択されたモードに応じて光源部の電源をオン・オフ制御することができる。
【００９６】
すなわち、スコープ鏡筒２１が回動してドットサイト領域ａに位置する時点では、スコープ鏡筒２１の光軸とドットサイト領域ａの光軸とが一致するようになるので、光源部に供給される電源を遮断する。
【００９７】
また、スコープ鏡筒２１が上述したものと逆方向に回動してドットサイト領域ａから引き出される時点では、ドットサイトモードに切り替えられるように光源部に電源を供給する。
【００９８】
上述したように、ユーザは、ピボットユニット３３を時計方向または反時計方向に回動させることにより、速かにドットサイトモードまたはスコープモードへの切替をすることができる。
【００９９】
本発明の第１の実施形態の変形例に係るドットサイトモード及びスコープモード兼用光学式照準鏡について説明する。第１の実施形態の変形例は、第１の実施形態と比較して、回動手段のうち、ピボットユニットがレバー３３´の形態に変更される。
【０１００】
図１０は、本発明の第１の実施形態の変形例に係るドットサイトモード及びスコープモード兼用光学式照準鏡の分解斜視図である。
【０１０１】
同図に示すように、第１の実施形態における回動手段のうち、ピボットユニットがレバー３３´の形態に変更されてスコープ軸２４の後方端部に直接結合され、それ以外の構成は、全て同じであるため、詳細な説明を省略する。
【０１０２】
このように、スコープ軸２４の後方に結合されたレバー３３´をユーザが回動させることにより、スコープ鏡筒２１は、第１の実施形態のように、ドットサイト領域に挿入または引き出されることができる。
【０１０３】
次に、本発明の第２の実施形態に係るドットサイトモード及びスコープモード兼用光学式照準鏡について説明する。
【０１０４】
本発明の第２の実施形態では、第１の実施形態と比較して、位置制御手段が省略され、回動手段とスコープ鏡筒のボス部の形態が変更され、それ以外の構成は第１の実施形態と同じである。図１１は、本発明の第２の実施形態に係るドットサイトモード及びスコープモード兼用光学式照準鏡の概略図である。
【０１０５】
同図に示すように、ボス部２３には陥没した支持溝２３ｂが形成される。
【０１０６】
このとき、回動手段５０は、弾性部材５１と回動ユニット５３とを備えて構成される。このとき、前記弾性部材５１は、所定のばねであって、スコープ軸２４に結合され、一側は、鏡筒ハウジング１１に支持され、他側は、ボス部２３に突出形成された支持ピン５１ａによって支持されるように設けられる。
【０１０７】
前記回動ユニット５３は、所定のピボットレバー（図示せず）と結合されたレバー軸５２を中心として回動するように鏡筒ハウジング１１の内側のボス部２３の側部に設けられる。
【０１０８】
また、回動ユニット５３の一側には、ボス部２３の支持溝２３ｂを支持するように形成された支持部５４が形成されて、支持部５４が支持溝２３ｂを支持するときには弾性部材５１が弾性圧縮される。
【０１０９】
図１２及び図１３は、本発明の第２の実施形態に係るドットサイトモード及びスコープモード兼用光学式照準鏡の作動状態図である。
【０１１０】
最初は、回動ユニット５３の支持部５４がボス部２３の支持溝２３ｂを支持するとき、弾性部材５１は弾性圧縮された状態である。その後、回動ユニット５３が反時計方向に回動すれば、図１２のように、支持部５４を介して支持されていた弾性部材５１は弾性復元されるとともに、ボス部２３が時計方向に回動して、結果的に図１３のように、スコープ鏡筒２１をドットサイト領域ａに挿入されるように回動させてスコープモードに切り替えられる。
【０１１１】
また、スコープモードでは、弾性部材５１の弾性力によってスコープ鏡筒２１が支持されるようになる。
【０１１２】
一方、回動ユニット５０が時計方向に回動して、支持部５４が支持溝２３を支持するようになると、弾性部材５１は再度弾性圧縮された状態に切り替えられるとともに、スコープ鏡筒２１は、本来の位置に戻って、照準鏡はドットサイトモードに切り替えられる。
【０１１３】
図１４は、本発明の第２の実施形態の第１の変形例に係るドットサイトモード及びスコープモード兼用光学式照準鏡の概略図であって、第２の実施形態の回動ユニットの形態が変形されている。
【０１１４】
同図に示すように、回動ユニット５２の支持部５４´が第２の実施形態と比較して比較的小さな大きさで形成されたものが示されている。
【０１１５】
すなわち、回動ユニット５２に形成される支持部は、その大きさに関係なく、ボス部２３に形成された支持溝２３ｂと当接してボス部２３の回動を支持するように形成されればよい。
【０１１６】
図１５は、本発明の第２の実施形態の第２の変形例に係るドットサイトモード及びスコープモード兼用光学式照準鏡の概略図である。
【０１１７】
同図に示すように、第２の実施形態の第２の変形例では、第２の実施形態と比較して、弾性部材５１の支持される部分が変更される。
【０１１８】
すなわち、第２の変形例に係る弾性部材５１は、一側がスコープ鏡筒２１に固定され、他側は回動ユニット５３の支持部５４と当接するように設けられている。
【０１１９】
したがって、回動ユニット５３が回動時に当接している弾性部材５１の一側を加圧することにより、図１６のように、スコープ鏡筒２１はドットサイト領域に回動してスコープモードに切り替えられ、このとき、弾性部材５１は、回動ユニット５３によって加圧されていた側が鏡筒ハウジング１１の内側と当接して弾性圧縮される。
【０１２０】
また、弾性部材５１の弾性復元力によってスコープ鏡筒は、ドットサイト領域から引き出されて照準鏡がドットサイトモードに切り替えられる。
【０１２１】
図１７は、本発明の第２の実施形態の第３の変形例に係るドットサイトモード及びスコープモード兼用光学式照準鏡の概略図である。
【０１２２】
同図に示すように、第２の実施形態の第３の変形例は、第２の実施形態と比較して、回動手段に含まれた回動ユニットの位置が変更される。
【０１２３】
すなわち、前記回動手段５０は、鏡筒ハウジング１１の側面から内側および外側方向に移動するように結合される回動ユニット５３と、該回動ユニット５３の一側に支持部５４とが形成される。
【０１２４】
前記支持部５４は、内側方向に移動するとき、前記ボスの支持溝２３ｂの一側を加圧し、このとき、弾性部材５１は弾性圧縮されるように形成される。
【０１２５】
すなわち、内側および外側に移動する支持部５４と弾性部材５１との相互作用によってスコープ鏡筒２１はドットサイト領域ａに挿入またはドットサイト領域ａから引き出されるようになる。
【０１２６】
次に、本発明の第３の実施形態に係るドットサイトモード及びスコープモード兼用光学式照準鏡について説明する。
【０１２７】
図１８は、本発明の第３の実施形態に係るドットサイトモード及びスコープモード兼用光学式照準鏡の概略図である。第３の実施形態では、第２の実施形態と比較して、回動手段の位置及び構成に一部変化があり、それ以外の構成は同じである。
【０１２８】
同図に示すように、第３の実施形態における回動手段６０は、弾性部材６１と、ピボットレバー６２と、固定端子６３とを備えて構成される。
【０１２９】
前記弾性部材６１は、スコープ軸２４に結合され、一側は、鏡筒ハウジング１１の内側に支持され、他側は、後述するピボットレバー６２に結合される。
【０１３０】
前記ピボットレバー６２は、スコープ軸２４を回動させるようにスコープ軸２４と結合される。
【０１３１】
このとき、弾性部材６１は、ピボットレバー６２によって回動するスコープ鏡筒２１の位置によって弾性圧縮されるように設けられることができ、図面では、スコープ鏡筒２１がドットサイト領域ａに位置したとき、ばねによって支持された状態を示している。
【０１３２】
また、前記固定端子６３は、前記ピボットレバー６２の一側に前記スコープ軸２４を加圧して、前記スコープ軸２４の回動を制限するように設けられる。
【０１３３】
すなわち、図１９に示すように、スコープ鏡筒２１の回動によって弾性部材６１が圧縮されたとき、固定端子６３を介してスコープ軸２４を加圧して、スコープ軸２４が弾性部材６１の弾性復元力によって本来の位置に戻ることを防止する。
【０１３４】
次に、本発明の第４の実施形態に係るドットサイトモード及びスコープモード兼用光学式照準鏡について説明する。第４の実施形態は、第３の実施形態と比較して、回動手段の構成と位置が変更され、それ以外の構成は同じである。
【０１３５】
図２０は、第４の実施形態に係るドットサイトモード及びスコープモード兼用光学式照準鏡の概略図である。
【０１３６】
同図に示すように、第４の実施形態における回動手段７０は、弾性部材７１と、ピボットレバー７２とを備えて構成される。
【０１３７】
前記弾性部材７１は、板ばねであって、ボス部２３に形成された一対の支持具２３ｃの間に位置し、一側は、後述するレバー軸と結合し、他側は、スコープ鏡筒２１に結合されて、所定の曲面を有するように設けられることにより、弾性力が付与されている。
【０１３８】
前記ピボットレバー７２は、鏡筒ハウジング１１の内側のスコープ軸２４の側部にレバー軸７２´を中心として回動するように設けられる。
【０１３９】
すなわち、図２０及び図２１に示すように、ピボットレバー７２の回動時、弾性部材７１の弾性力によって前記スコープ鏡筒２１は、ドットサイト領域ａに挿入されたり引き出されることができる。
【０１４０】
次に、本発明の第５の実施形態に係るドットサイトモード及びスコープモード兼用光学式照準鏡について説明する。第５の実施形態は、第３実施形態と比較して、回動手段の構成が変更され、残りは同じである。
【０１４１】
図２２は、本発明の第５の実施形態に係るドットサイトモード及びスコープモード兼用光学式照準鏡の概略図である。
【０１４２】
同図に示すように、第５の実施形態における回動手段８０は、弾性部材８１と、ワイヤ８２と、調節ユニット８３とを備えて構成される。
【０１４３】
前記弾性部材８１は、スコープ軸２４に結合され、一側は、鏡筒ハウジング１１の内側に支持され、他側は、スコープ鏡筒２１に支持されるように設けられる。
【０１４４】
前記ワイヤ８２は、一端が前記スコープ鏡筒２１に結合されてスコープ軸２４に巻き取られ、他端が調節ユニット８３と結合される。
【０１４５】
前記調節ユニット８３は、ワイヤ８２を引っ張ることにより、スコープ軸２４に巻き取られたワイヤ８２が解けると同時に、スコープ鏡筒２１を回動させるように設けられる。このとき、弾性部材８１は、弾性圧縮されるように設けられている。
【０１４６】
また、調節ユニット８３には、スコープ鏡筒２１がドットサイト領域ａから引き出された状態で弾性部材８１によって弾性復元されることを防止するように、引っ張られたワイヤ８２を固定させる固定端子８４が設けられている。
【０１４７】
すなわち、図２２のような状態で、調節ユニット８３がワイヤ８２を引っ張るようになると、図２３のように、スコープ鏡筒２１がドットサイト領域ａから引き出され、これにより、照準鏡はドットサイトモードで使用され、固定端子８４によってワイヤ８２の固定が解除されると、弾性部材８１の弾性復原力によって図２１のように、ドットサイト領域ａにスコープ鏡筒２１が位置するようになり、スコープモードに切り替えられる。
【０１４８】
次に、本発明の第６の実施形態に係るドットサイトモード及びスコープモード兼用光学式照準鏡について説明する。第３の実施形態と比較して、回動手段の構成が変更され、それ以外は同じである。
【０１４９】
図２４は、本発明に係る第６の実施形態に係るドットサイトモード及びスコープモード兼用光学式照準鏡の概略図である。
【０１５０】
同図に示すように、第６の実施形態における回動手段９０は、駆動モータ９１と、制御ユニット（図示せず）とを備える。
【０１５１】
前記駆動モータ９１は、ステッピングモータまたはサーボモータなどで設けられて、前記スコープ軸２４を回動させるように結合される。
【０１５２】
前記制御ユニットは、駆動モータ９１の回動角を制御できるように設けられ、所定のスイッチ９２などが備えられて、スイッチ９２によって駆動モータ９１を駆動して図２５のように、スコープ鏡筒２１をドットサイト領域ａに挿入させて照準鏡をスコープモードに切り替え、図２４のように、スコープ鏡筒２１をドットサイト領域ａから引き出して照準鏡をドットサイトモードに切り替えられるようにする。
【０１５３】
次に、本発明の第７の実施形態に係るドットサイトモード及びスコープモード兼用光学式照準鏡について説明する。第６の実施形態と比較して、回動手段の構成が変更され、それ以外は同じである。
【０１５４】
図２６は、本発明の第７の実施形態に係るドットサイトモード及びスコープモード兼用光学式照準鏡の概略図である。
【０１５５】
同図に示すように、第７の実施形態における回動手段２００は、第１の端子２１０と、第２の端子２２０と、第３の端子２３０と、制御ユニット２４０とを備えて構成される。
【０１５６】
前記した各端子は、所定の金属などで設けられて、電圧印加時、電気的に極性を帯びるように構成される。
【０１５７】
前記第１の端子２１０は、ボス部２３に設けられ、前記第２の端子２２０と第３の端子２３０とは、鏡筒ハウジング１１の内側に離隔設置され、制御ユニット２４０と接続されて選択的に電圧が印加されて極性を帯びるように設けられる。
【０１５８】
図面では、第３の端子２３０に電圧が印加されて極性を帯びることにより、電磁気力によって第１の端子２１０に引力が作用して向かい合うように配置されたものが示されている。
【０１５９】
このように配置された状態で、もし、制御ユニット２４０を介して第３の端子２３０の代りに、第２の端子２２０に電圧を印加すれば、図２７のように、第２の端子２２０と第１の端子２１０とに引力が作用して、第１の端子２１０が第２の端子２２０の方に回動するようになる。これにより、スコープ鏡筒２１もドットサイト領域ａに回動して、照準鏡はスコープモードに切り替えられる。
【０１６０】
また、上述したように、第２の端子２２０と第３の端子２３０とに個別的に電圧をかけて電磁気力を発生させたが、２つの端子の両方に電圧をかけた状態で各端子は互いに異なる極性を有するように形成され、制御ユニットを介して各端子の極性が変わるように設けられることもできる。
【０１６１】
以上で説明したように、第２の実施形態ないし第７の実施形態の場合には、スコープ構造体をドットサイト領域に挿入または引き出す回動手段が変更されたものである。
【０１６２】
次に、本発明の第８の実施形態に係るドットサイトモード及びスコープモード兼用光学式照準鏡について説明する。第８の実施形態は、第２の実施形態の第３の変形例と比較して、鏡筒ハウジングとボス部の構成が変更され、それ以外の構成は同じである。
【０１６３】
図２８は、本発明の第８の実施形態に係るドットサイトモード及びスコープモード兼用光学式照準鏡の概略図である。
【０１６４】
同図に示すように、本発明の第８の実施形態に係るドットサイトモード及びスコープモード兼用光学式照準鏡は、鏡筒ハウジング１１の一側に内側方向に突出したモード切替用突出部１１´が形成される。
【０１６５】
また、ボス部２３には、ボス部２３の胴体長さ方向に長く形成された長孔２３ｄが形成される。
【０１６６】
なお、前記長孔２３ｄの内側には、結合されるスコープ軸２４が長孔に沿って移動するとき、スコープ軸２４を弾性的に支持するようにばねｓが設けられる。
【０１６７】
このとき、スコープ鏡筒２１の外側面は、鏡筒ハウジング１１と当接するように形成される。また、スコープ軸２４の所定領域には、スコープ軸を回動させるようにピボットレバー（図示せず）が結合される。
【０１６８】
このように結合された状態で、スコープ軸２４が反時計方向に回動すれば、スコープ鏡筒２１は、鏡筒ハウジング１１の内側面に沿って移動するようになり、移動時に図２９のように、突出部１１´と当接すれば、ボス部２３は、長孔２３ｄに沿って移動するようになり、このとき、ばねｓはスコープ軸２４によって弾性圧縮される。
【０１６９】
続いて、図３０に示すように、スコープ鏡筒２１が突出部１１´を通過すれば、ばねｓの弾性復原力によって長孔２３ｄのスコープ鏡筒２１方向の内側面を加圧してドットサイト領域ａにスコープ鏡筒２１が位置するようになることにより、スコープモードに切り替えられる。
【０１７０】
同様な理由で、ドットサイトモードへの切替は、スコープ軸２４が上述したものと反対方向に回動するときに切り替えられる。
【０１７１】
このような方法により、ドットサイトモードからスコープモードへの、またはスコープモードからドットサイトモードへの切替が容易であり、かつ、迅速・正確にモード切替が可能となる。
【０１７２】
また、上述した第２の実施形態ないし第８の実施形態では、第１の実施形態とは異なり、位置制御手段が備えられない。これは、回動手段に含まれた弾性部材の弾性力が適宜調節されるように設けられるか、駆動モータ、電磁気力、及び突出部などの構造を利用してスコープ鏡筒を回動させることにより、別の位置制御手段が備えられなくても、正確にドットサイト領域にスコープ鏡筒が回動して挿入されることができるためである。
【０１７３】
一方、第１の実施形態ないし第８の実施形態の全部において、ドットサイト本体に備えられた反射鏡のハウジング内側には反射鏡が備えられるが、この反射鏡の構成のうち、ダブレットで設けられた構成について説明する。
【０１７４】
図３１及び図３２は、第１の実施形態ないし第８の実施形態に適用される反射鏡の概略図である。図３１及び図３２に示すように、鏡筒ハウジング１１の内側に設けられる光源部であるＬＥＤと反射面との間の距離を２００ｍｍに、中心厚さは４．０ｍｍに設定した。
【０１７５】
ＬＥＤドットは、反射面６００の第２面６２０であるＲ２面で反射されて出るが、このとき、入射する際に第１面６１０であるＲ１面を通って第２面６２０であるＲ２面で反射した後、再度第１面６１０であるＲ１面を通って観測者の目に入射される。すなわち、変数Ｒ１面を２回通り、変数Ｒ２面を１回通るため、設計における自由度がさらに与えられる。これにより、視差を最も最小化できるようになるものである。
【０１７６】
このとき、外部目標点が観測者の目に結像される際に、倍率の発生を減らすためにアフォーカル（ａｆｏｃａｌ）システムになるように構成した。このような構成は、下記の数式１を利用して第１面６１０及び第３面６３０の曲率半径に適用する。
【０１７７】
ダブレットの第１面６１０と第３面６３０の中心間の距離（中心厚さ）をｄ、第１面の曲率半径をＲ１、第３面６３０の曲率半径をＲ３とし、材質の屈折率をｎとするとき、次のような数式が成立するようにした。
【数１】
2011524998.tif 000004
【０１７８】
このとき、Ｄ１は第１面６１０の屈折力、Ｄ２は第３面６３０の屈折力を意味する。
【０１７９】
このような構成によって視差は、百分率で８０％以上の改善効果があった。
【０１８０】
一方、図３２のように、第２面６２０のコーニック（ｃｏｎｉｃ）係数を含む非球面であったとき、視差は一層最小化され得る。このとき、視差は、上述した図１２より９０％以上が改善される効果があった。
【０１８１】
下記３つのグラフは、各々従来の単一反射面である場合、ダブレット反射面である場合（２つのレンズ間の反射面が球面）、ダブレット反射面であり、かつ、２つのレンズ間の反射面としてコーニック非球面を採択した場合の子午光線（Ｔａｎｇｅｎｔｉａｌ  ｒａｙ）収差度を表している。それぞれレンズ傾き角が−２．０度である。
【表１】
2011524998.tif 000005
【表２】
2011524998.tif 000006
【表３】
2011524998.tif 000007
【０１８２】
前記各々のグラフのうち、１番目のグラフは球面収差を表すが、これがｘ軸と一致すれば視差のない状態となる。従来の単一反射面である場合の最大収差値は０．０２ｍｍであり、ダブレットの中間面を球面反射面として採択した場合の最大収差値は０．００４ｍｍであり、ダブレットの中間面をコーニック非球面反射面として採択した場合の最大収差値は０．０００４ｍｍである。
【０１８３】
したがって、全体領域の中心における５０％空間を有効空間とみなすと、従来の単一反射面である場合とダブレットの中間面を球面反射面として採択した場合との比較では、少なくとも８０％以上の改善効果（球面収差量（ｙ軸）のｘ軸（ＬＥＤ光線が反射する有効空間）に対する積分値の比較で）があるようになり、ダブレットの中間面を球面反射面として採択した場合とダブレットの中間面をコーニック非球面反射面として採択した場合との比較では、少なくとも９０％以上の改善効果があるものと計算される。
【０１８４】
本発明の権利範囲は上述した実施形態に限定されるものではなく、添付した特許請求の範囲内で様々な形態の実施形態によって実現され得る。特許請求の範囲で請求する本発明の要旨を逸脱することなく、当該発明の属する技術分野における通常の知識を有した者であれば誰でも変形可能な多様な範囲まで本発明の請求の範囲の記載の範囲内にあるものとみなす。
【産業上の利用可能性】
【０１８５】
精密機械に該当する銃器類に適用されるスコープモード用照準鏡とドットサイトモード用照準鏡とが別に製作されるか、または一体に製作されても、単に１つのハウジングに結合される水準にとどまっていたものを、ドットサイトモードに適用されるドットサイト領域にスコープ構造体が挿入されるようにすることにより、照準鏡の全体体積及び重さを低減することができ、これにより、個人火器にも結合され得るようになる。
【図１】
2011524998.tif 000009
【図２】
2011524998.tif 000010
【図３】
2011524998.tif 000011
【図４】
2011524998.tif 000012
【図５】
2011524998.tif 000013
【図６】
2011524998.tif 000014
【図７】
2011524998.tif 000015
【図８】
2011524998.tif 000016
【図９】
2011524998.tif 000017
【図１０】
2011524998.tif 000018
【図１１】
2011524998.tif 000019
【図１２】
2011524998.tif 000020
【図１３】
2011524998.tif 000021
【図１４】
2011524998.tif 000022
【図１５】
2011524998.tif 000023
【図１６】
2011524998.tif 000024
【図１７】
2011524998.tif 000025
【図１８】
2011524998.tif 000026
【図１９】
2011524998.tif 000027
【図２０】
2011524998.tif 000028
【図２１】
2011524998.tif 000029
【図２２】
2011524998.tif 000030
【図２３】
2011524998.tif 000031
【図２４】
2011524998.tif 000032
【図２５】
2011524998.tif 000033
【図２６】
2011524998.tif 000034
【図２７】
2011524998.tif 000035
【図２８】
2011524998.tif 000036
【図２９】
2011524998.tif 000037
【図３０】
2011524998.tif 000038
【図３１】
2011524998.tif 000039
【図３２】
2011524998.tif 000040
【国際調査報告】
2011524998.tif 000041
2011524998.tif 000042
2011524998.tif 000043
2011524998.tif 000044